(57)【要約】【課題】螺旋状に配置されたスパイラル状の突起部を有して塩化ビニルフリーのホース本体で止水構造を構成するフレキシブル排水管を提供すること。【解決手段】フレキシブル排水管１は、オレフィン系樹脂材の筒状部１０１の外周面に螺旋状のスパイラル突起部１０２を有するホース本体１０と、ホース本体１０の両端に装着する排水用受け口１１とを有している。排水用受け口１１は、ホース本体１０の端部に装着する受けゴム１２と受けゴム１２を装着する受け口本体１３とを備えている。受けゴム１２には、スパイラル突起部１０２に係合するスパイラル凹部１２１を形成する。受け口本体１３は、軸部１４から連接する大径の外管部１５１と小径の内管部１５２とを備えて形成し、外管部１５１の先端部１５１ｂに複数のスリット１５１ｃを軸方向に沿って形成する。外管部１５１にバンド部材１８を外嵌して先端部１５１ｂを締め込む。【選択図】図２
2011144913.tif 000002
【特許請求の範囲】
【請求項１】
可撓性を有するホース本体と前記ホース本体の端部に装着する排水用受け口とを備えて構成されるフレキシブル排水管であって、
前記ホース本体が、筒状部と、前記筒状部の外周面に前記筒状部の全長にわたって螺旋状に配設されるスパイラル状の突起部と、を有して形成されるとともに、前記筒状部がオレフィン系樹脂材料で形成され、前記スパイラル状の突起部が前記筒状部より硬質のオレフィン系樹脂材料で形成され、
前記ホース本体と、前記排水用受け口とで構成される排水の止水構造が、前記ホース本体の外周面上で構成されていることを特徴とするフレキシブル排水管。
【請求項２】
可撓性を有するホース本体と前記ホース本体の端部に装着する排水用受け口とを備えて構成されるフレキシブル排水管であって、
前記ホース本体が、筒状部と、前記筒状部の外周面に前記筒状部の全長にわたって螺旋状に配設されるスパイラル状の突起部と、を有して形成されるとともに、前記筒状部がオレフィン系樹脂材料で形成され、前記スパイラル状の突起部が前記筒状部より硬質のオレフィン系樹脂材料で形成され、
前記排水用受け口は、内周面に前記スパイラル状の突起部に係合するスパイラル状の凹部を有して前記ホース本体の端部に装着する受けゴムと、前記受けゴムの挿入側端部が拡径可能に形成されて前記受けゴムを外周面から収納する受け口本体と、前記受け口本体における前記受けゴムの挿入側端部に装着して、拡径された前記受け口本体を縮径させる縮径手段と、を備えて構成されていることを特徴とするフレキシブル排水管。
【請求項３】
前記受けゴムは、耐水性及び耐薬品性の材料で形成されていることを特徴とする請求項２記載のフレキシブル排水管。
【請求項４】
前記受け口本体は、前記受けゴムに外嵌される外管部と前記ホース本体に内嵌される内管部とを有して前記ホース本体の端部に装着されていることを特徴とする請求項２又は３記載のフレキシブル排水管。
【請求項５】
前記内管部の片肉寸法は、前記内管部の外径寸法に対して１乃至３％に形成されていることを特徴とする請求項４記載のフレキシブル排水管。
【請求項６】
前記受け口本体が、前記受けゴムの挿入側端部に前記受け口本体を拡径可能とする複数のスリットを軸方向に沿って形成していることを特徴とする請求項２，３又は４のいずれかに記載のフレキシブル排水管。
【発明の詳細な説明】
【技術分野】
【０００１】
本発明は、スパイラル状の突起部を有して形成されたホース本体と、ホース本体の端部に装着する排水用受け口と、を備えたフレキシブル排水管に関し、さらに、前述のホース本体を使用して新たな止水構造を可能にするフレキシブル排水管に関する。
【背景技術】
【０００２】
家庭内の浴室やトイレあるいは台所等に配置された排水管からの排水を汚水桝に導く場合に、ホース（フレキシブル排水管）の多くは、塩化ビニルで可撓性を有して形成されたものが使用されている。フレキシブル排水管における塩化ビニル製のホース本体は可塑性を有しているものの長期間の使用により、脱可塑化が進み、傷やひび割れが生じて、排水の外部への漏れを起こしやすくなっていた。また、塩化ビニル製のホース本体をフレキシブル排水管として使用する場合には、排水の止水構造としてホース本体の端部に配管継手部材(例えば、ホースニップル)を装着して浴室やトイレあるいは台所等の排水管に接続するように構成されていた。ホースニップルは、ホース本体内に挿入されて内径に比して厚肉状の筒状部を有するテーパ状のインナー部を備えて形成されている。家庭内からの排水物は水だけではなく、例えば、浴室や洗濯機から排水されるゴミや、流し台から排水されるゴミ等がフィルターを通って流れることもあり、ホース本体内に挿入されてホース本体内に突出するホースニップルのインナー部の周りで溜まってしまう。各種のゴミがホースニップルのインナー部の周りで溜まると排水不良や排水漏れの要因となる。そのため、ホース本体の内部に挿入するホースニップルを使用しないでフレキシブル排水管の止水構造を構成する必要があった。
【０００３】
一方、近年においては、２００年住宅として長期優良住宅に適する排水処理工事の施工が求められるようになってきた。この長期優良住宅に適する排水処理工事を施工するに当たって、塩化ビニル製のホースが長期間の使用による傷やひび割れ等の発生の虞があることから、塩化ビニル製のフレキシブル排水管を使用しない脱塩化ビニル素材による方向でのフレキシブル排水管の提供が求められることになり、例えば、高密度のオレフィン系樹脂材料で形成され、しかもホース本体の外周面で止水できるフレキシブル排水管が提供されることになってきた。
【０００４】
このフレキシブル排水管は、例えば、特許文献１、特許文献２によって知られている。これによると、フレキシブル排水管は、ホース本体と、ホース本体の両端部に配置する排水用受け口と、ホース本体と排水用受け口とを接合するシール部材と、を備えて構成されている。ホース本体は、内周面を平滑に形成した円筒状の可塑剤レスタイプの軟質合成樹脂製の内筒部と、内筒部の外周面に配置されて蛇腹状に形成された硬質合成樹脂製の外筒部と、から構成されている。これにより、強度、可撓性、円滑な排水性、止水性を備えた排水管において、耐久性を向上させることができるフレキシブル排水管が提供されることとなっていた。
【先行技術文献】
【特許文献】
【０００５】
【特許文献１】特開２００１−３４９４７７公報
【特許文献１】特開２００５−１６４０３１公報
【発明の概要】
【発明が解決しようとする課題】
【０００６】
しかし、特許文献１、特許文献２に開示されているフレキシブル排水管は、外周面が不連続な蛇腹状の突起部を有して形成されていた。このフレキシブル排水管はオレフィン系の樹脂材料で可撓性を有しているから、塩化ビニル製の排水管より高強度に形成されていても、勢いのある排水が流れてきた場合や、フレキシブル排水管を設置する際に湾曲の形状を大きくするような場所では、外周面に形成された蛇腹状の突起部が不連続であることから曲げると座屈する虞があるという課題が残されていた。そのため、オレフィン系の樹脂製であって、しかも外周面が不連続な蛇腹状ではなく、連続して形成されたスパイラル状に突起した外周面を有するホース本体を使用したフレキシブル排水管が新たに提供されることとなってきた。そのため、オレフィン系の樹脂製であって、連続したスパイラル状に突起した外周面を有するフレキシブル排水管において、新たな排水用受け口で止水構造を構成できるフレキシブル排水管が求められていた。
【課題を解決するための手段】
【０００７】
本発明は、上述の課題を解決するものであり、脱塩化ビニル素材で形成されたものであって、スパイラル蛇腹状の外周面が形成されたホース本体を使用した止水構造を備えるフレキシブル排水管を提供することを目的とする。そのために、以下のように構成するものである。すなわち、請求項１の発明は、可撓性を有するホース本体と前記ホース本体の端部に装着する排水用受け口とを備えて構成されるフレキシブル排水管であって、前記ホース本体が、筒状部と、前記筒状部の外周面に前記筒状部の全長にわたって螺旋状に配設されるスパイラル状の突起部と、を有して形成されるとともに、前記筒状部がオレフィン系樹脂材料で形成され、前記スパイラル状の突起部が前記筒状部より硬質のオレフィン系樹脂材料で形成され、前記ホース本体と、前記排水用受け口とで構成される排水の止水構造が、前記ホース本体の外周面上で構成されていることを特徴とするものである。
【０００８】
請求項２記載の発明は、可撓性を有するホース本体と前記ホース本体の端部に装着する排水用受け口とを備えて構成されるフレキシブル排水管であって、前記ホース本体が、筒状部と、前記筒状部の外周面に前記筒状部の全長にわたって螺旋状に配設されるスパイラル状の突起部と、を有して形成されるとともに、前記筒状部がオレフィン系樹脂材料で形成され、前記スパイラル状の突起部が前記筒状部より硬質のオレフィン系樹脂材料で形成され、前記排水用受け口は、内周面に前記スパイラル状の突起部に係合するスパイラル状の凹部を有して前記ホース本体の端部に装着する受けゴムと、前記受けゴムの挿入側端部が拡径可能に形成されて前記受けゴムを外周面から収納する受け口本体と、前記受け口本体における前記受けゴムの挿入側端部に装着して、拡径された前記受け口本体を縮径させる縮径手段と、を備えて構成されていることを特徴とするものである。
【０００９】
請求項３の発明は、請求項２の発明に係るものであって、前記受けゴムは、耐水性及び耐薬品性の材料で形成されていることを特徴としている。
【００１０】
請求項４の発明は、請求項２又は３の発明に係るものであって、前記受け口本体は、前記受けゴムに外嵌される外管部と前記ホース本体に内嵌される内管部とを有して前記ホース本体の端部に装着されていることを特徴としている。
【００１１】
請求項５の発明は、請求項４の発明に係るものであって、前記内管部の片肉寸法は、前記内管部の外径寸法に対して１乃至３％に形成されていることを特徴としている。
【００１２】
請求項６の発明は、請求項２，３又は４の発明に係るものであって、前記受け口本体が、前記受けゴムの挿入側端部に前記受け口本体を拡径可能とする複数のスリットを軸方向に沿って形成していることを特徴としている。
【発明の効果】
【００１３】
請求項１の発明によれば、フレキシブル排水管のホース本体が、オレフィン系樹脂材料で形成されることから、脱塩化ビニル化を図ることができ、傷やひび割れの発生の虞がなくなり、長期間の使用に対応することができる。また、ホース本体の外周面に螺旋状に配設されるスパイラル状の突起部を形成することによって、不連続な突起部を有して蛇腹状に形成されたホース本体に比べて、可撓性のホース本体自体の強度を向上することができる。そして、ホース本体と排水用受け口で構成する止水構造を、ホース本体の外周面で構成することにより、ホース本体内に挿入する配管継手のインナー部を削除できるから、フレキシブル排水管の内部での異物の溜まりがなくなり排水不良を発生させる虞がない。
【００１４】
請求項２の発明によれば、ホース本体が、オレフィン系の樹脂材料で形成された筒状部と筒状部より硬質の樹脂材料で形成されて螺旋状に配設されるスパイラル状の突起部とで構成されている。そのため、脱塩化ビニル化を図って、傷やひび割れを発生しにくく長期間の使用を可能とするとともに、筒状部より硬質の樹脂材料で形成されたスパイラル突起部により排水管としての強度を保持することができる。また、排水用受け口が、受けゴムと、受けゴムを収納する受け口本体と、受け口本体の受けゴムの挿入側端部を締め付ける縮径手段とを備えてホース本体の端部で止水構造を構成している。この止水構造が、ホース本体の端部外周面で受けゴムを配設して、受けゴムを縮径させて締め付けるように構成しているから、従来の厚肉状の筒状部を有してゴミがたまりやすいホースニップルを使用せずに、止水することができる。
【００１５】
請求項３の発明によれば、受けゴムは、耐水性及び耐薬品性の材料で形成されていることから、多量の排水があっても漏れる虞がなく、また、排水の中に洗剤が含まれていても、受けゴムを損傷する虞がない。
【００１６】
請求項４の発明によれば、受け口本体は、外管部で受けゴムの外周面に外嵌し、内管部で、受けゴムを装着したホース本体に内嵌している。受け口本体に装着した縮径手段で受け口本体を縮径することにより、受けゴムが弾性変形して、ホース本体と受けゴム及び受け口本体とが密着されることになり、排水漏れを防止することができる。
【００１７】
請求項５の発明によれば、内管部の片肉寸法が、内管部の外径寸法の１乃至３％という薄肉状に形成されているから、可撓性部材としてのホース本体の内周面を支えるとともに、排水とともに流れてきた異物が排水の流れを妨げることなく排水の流れを形成することができる。
【００１８】
請求項５の発明によれば、受け口本体の受けゴム挿入側端部に、軸方向に沿って複数のスリットを形成することにより、受け口本体を拡径できるように変形することができ、排水用受け口を組付ける際に、受けゴムを容易に収納することができる。
【図面の簡単な説明】
【００１９】
【図１】フレキシブル排水管の全体を示す正面図である。
【図２】図１におけるフレキシブル排水管の止水構造を軸方向に沿って切断した断面図である。
【図３】図２における受けゴムを軸方向に沿って切断した断面図である。
【図４】図２における排水用受け口を示す斜視図である。
【図５】図４の排水用受け口を軸方向に沿って切断した断面図である。
【図６】同側面図である。
【図７】バンド部材を示す平面図である。
【図８】同斜視図である。
【発明を実施するための形態】
【００２０】
次に、本発明のフレキシブル排水管の実施形態を図面に基づいて説明する。図１は、フレキシブル排水管の全体を示すものであり、図２は、図１におけるフレキシブル排水管の止水構造を示すものである。
【００２１】
図１に示すように、実施形態のフレキシブル排水管１は、筒状部１０１と筒状部１０１の外周面に全長にわたって螺旋状に巻き付けて配置したスパイラル状の突起部（以下、スパイラル突起部という）１０２からなるホース本体１０と、ホース本体１０の端部に装着する排水用受け口１１とを備えている。図２に示すように、排水用受け口１１は、ホース本体１０のスパイラル突起部１０２に係合するスパイラル状の凹溝(以下、スパイラル凹部という)１２１を内周面に備えた円筒状の受けゴム１２と、ホース本体１０に内嵌するとともに受けゴム１２を外嵌する受け口本体１３とを備えている。受け口本体１３の先端部には、受け口本体１３を締め付ける縮径手段としてのバンド部材１８が配置されている。
【００２２】
ホース本体１０の筒状部１０１は、塩化ビニルフリーの軟質の樹脂材料、例えば、オレフィン系等の熱可塑性エラストマー（ＴＰＥ）で形成されて可撓性を有している。スパイラル突起部１０２は、筒状部より硬質のポリプロピレン樹脂で形成されている。ホース本体１０は、実施形態においては、軟質の熱可塑性エラストマーで形成された樹脂製の筒状部１０１と硬質のポリプロピレン樹脂で形成されたスパイラル突起部１０２とが一体成型で同時に形成される。
【００２３】
なお、スパイラル突起部１０２は、筒状部１０１に対してホース本体１０の外周面に左巻きに形成されている。スパイラル突起部１０２が左巻きに形成されているとは、受けゴム１２がホース本体１０に係合する際、受けゴム１２を反時計方向に回すことにより締め付け可能となる巻き方をいう。
【００２４】
受けゴム１２は、耐水性に優れ、また、排水内に混入された洗剤やアンモニア等の薬品に耐え得る耐薬品性に優れた合成ゴム、例えば、ＥＰＤＭで形成されている。図３に示すように、受けゴム１２はホース本体１０が挿入される挿入側端面１２ａと家庭内あるいは汚水桝の排水管側に配置される非挿入側端面１２ｂとを有して円筒状に形成されている。受けゴム１２の内周面にはホース本体１０のスパイラル突起部１０２の形状に合わせて係合するスパイラル凹部１２１が形成されている。スパイラル凹部１２１は、円筒状に形成された受けゴム１２の内周面において、挿入側端面１２ａから非挿入側端面１２ｂに達しない非挿入側端面１２ｂ付近の位置まで形成されている。非挿入側端面１２ｂの外周縁部は、受け口本体１３の形状に合わせて断面円弧状に形成されている。また、スパイラル凹部１２１は、ホース本体１０のスパイラル突起部１０２の巻き方向に合わせて左巻きに形成されている。
【００２５】
受けゴム１２の外周面には、受けゴム１２のホース本体１０の非挿入側端面１２ｂ付近に受けゴム１２の外周面から並列して突出する２本の第１シールリング部１２２が全周にわたって形成され、受けゴム１２の非挿入側端面１２ｂの内周縁に沿って、管軸を中心とした第２シールリング部１２３が非挿入側端面１２ｂから突出して形成されている。
【００２６】
受け口本体１３は、図４〜６に示すように、段付き円筒状に形成され、図示しない家庭内あるいは汚水桝の排水管側に接続する軸部１４と、軸部１４に連接してホース本体１０に装着される装着部１５とを備えて形成されている。装着部１５は、ホース本体１０より硬質の樹脂製材料、例えば、硬質の塩化ビニルで形成され、軸部１４から連接されて受け口本体１３における軸方向の略中央部において二重管部に分岐して形成されている。外側の管部は、大径に形成されて受けゴム１２に外嵌する外管部１５１として形成され、内側の管部は軸部１４より小径に形成されてホース本体１０に内嵌する内管部１５２として形成されている。したがって、ホース本体１０に装着された受けゴム１２が、外管部１５１と内管部１５２との間に挿入されることとなる。内嵌部１５２の片肉は、内管部１５２の外径寸法に対して薄肉状（１乃至３％）に形成されている。例えば、内管部１５２の外径が５０ｍｍであれば、内管部１５２の片肉の厚みは１．５ｍｍ程度に形成されている。この内管部１５２をホース本体１０に内嵌することにより、フレキシブル排水管１内を流れてくる異物が、ホース本体１０内に溜りにくくするとともに軟質で可撓性のホース本体１０自体を内側から支えることになる。
【００２７】
また、外管部１５１のホース本体１０の挿入側端面には、外管部１５１から外方向に突出するフランジ部１５１ａが形成され、外管部１５１における受けゴム１２の挿入側端部１５１ｂには円周方向に沿って複数箇所(８箇所)に、フランジ部１５１ａ側端面から外管部１５１の長さ方向の中央に向かってスリット１５１ｃが形成されている。内管部１５２は、軸部１４側から外管部１５１のフランジ部１５１ａの端面より短く形成されて、先端はフランジ部１５１ａの端面より内方に配置した位置にある。
【００２８】
縮径手段としてのバンド部材１８は、受けゴム１２を挿入するために拡径した受け口本体１３の挿入側端部１５１ｂを締め込むものである。実施形態においては、薄板状に形成された金属製の２枚の帯状部材を半円状に湾曲させて、端部同士をネジ部材で締め込むことにより縮径可能なリング状のバンド部材１８を形成するものである。つまり、図７〜８に示すように、バンド部材１８は、２枚に分割されて受け口本体１３に外嵌されるように半円状に湾曲した湾曲部１８１ａ、１８２ａを有する帯状部材１８１、１８２の一端が、それぞれピン１８３に軸支されている。一方の帯状部材１８１の一端は幅方向の中央部が凹状に形成されて、二股状に形成された軸支部１８１ｂを有している。他方の帯状部材１８２の一端には、帯状部材１８１の凹部内に挿入される軸支部１８２ｂが突出して形成されている。ピン１８３は一方の帯状部材１８１の軸支部１８１ｂと他方の帯状部材１８２の軸支部１８２ｂを共に挿通している。これにより、帯状部材１８１、１８２はピン１８３を中心にして開閉され、受け口本体１３を外嵌可能に構成されている。また、帯状部材１８１の他端と帯状部材１８２の他端には、それぞれ湾曲部１８１ａ、１８２ａから屈曲して連接されたフランジ部１８１ｃ、１８２ｃが形成されている。フランジ部１８１ｃ、１８２ｃは、お互いが面同士で対向するように形成され、フランジ部１８１ｃ、１８２ｃを挿通するネジ部材１８４で締結可能に形成されている。これにより、受け口本体１３に外嵌されたバンド部材１８は、ネジ部材１８４を締め込むことにより、それぞれの湾曲部１８１ａ、１８２ａを合わせて形成される円部を縮径することができる。
【００２９】
縮径手段は、上述のバンド部材１８に限定するものではなく、拡径された受け口本体１３の挿入側端部１５１ｂを縮径可能に形成されたものであれば、リング状に湾曲した薄板状の帯状部材の両端を長さ調整可能に重ね合わせて留め部材で固定する公知のバンド部材でもよく、また、紐で縛ってもよい。
【００３０】
次に、フレキシブル排水管１のホース本体１０と排水用受け口１１との取付け手順について説明する。ホース本体１０の外周面に受けゴム１２を装着する。この際、受けゴム１２が外嵌されるホース本体１０の端部外周面に、潤滑性がよく受けゴム１２のスパイラル凹部１２１とホース本体１０のスパイラル突起部１０２との係合を容易にしてしかもシール性を向上するためのシール剤、例えば、シリコーンＫＭ−７８６（信越化学工業（株））を塗布する。そして、受けゴム１２に形成されたスパイラル凹部１２１をホース本体１０に形成されたスパイラル突起部１０２に係合させる。すなわち、スパイラル突起部１０２の巻き方向に沿って受けゴム１２を回しながら、受けゴム１２をホース本体１０の一端から中央方向に向かって外嵌する。受けゴム１２のスパイラル凹部１２１と、ホース本体１０のスパイラル突起部１０２との嵌め合い状態は、排水漏れを防止するために、圧入状態で嵌め込むことが好ましく、受けゴム１２を外嵌する際に受けゴム１２の弾性変形により嵌め込むことができるようにする。
【００３１】
次に、受け口本体１３をホース本体１０の内周面及び受けゴム１２の外周面から同時に嵌め込む。受け口本体１３の外管部１５１の内径を受けゴム１２の外径と略同じか、あるいは僅かに小さく形成しておくと、受け口本体１３を受けゴム１２の外周面に嵌め込む際に、受けゴム１２を弾性変形させると同時に、受け口本体１３の挿入側端部１５１ｂが、複数のスリット１５１ｃにより僅かに拡径する。
【００３２】
次に、バンド部材１８を受け口本体１３の挿入側端部１５１ｂに装着して、バンド部材１８のネジ部材１８４を締め込むことによって受け口本体１３の挿入側端部１５１ｂを縮径させる。
【００３３】
これによって、受けゴム１２が弾性変形するとともに第１シールリング部１２２、第２シールリング部１２３が受け口本体１３で圧着されることとなって、ホース本体１０と排水用受け口１１との間は密着できることになる。そのため、排水漏れのない止水構造が構成されることとなる。ホース本体１０の両端に排水用受け口１１を嵌合し、一方の排水用受け口１１の他端に、図示しない一般的な配管継手を装着して、フレキシブル排水管１の一端を図示しない家庭内の浴室やトイレあるいは台所等に配置された排水管に接続し、ホース本体１０の他方に嵌合した排水用受け口１１の他端を汚水桝に接続することになる。
【００３４】
上述のように、実施形態のフレキシブル排水管１の止水構造によれば、外周面にスパイラル突起部１０２を備えてオレフィン系の樹脂材料のホース本体１０に、受けゴム１２及び受け口本体１３を装着し、バンド部材１８で締め付けることにより、ホース本体１０と排水用受け口１１との間の密着性を向上することができて排水の漏れを防止することができる。また、ホース本体１０に外周面に止水構造を構成することにより、ホース本体１０内の排水流路にホースニップル等の配管継手を突出させないことから、排水と同時に流れる異物を溜めることなく、排水の流れをスムーズに行わせることができる。これにより、長期優良住宅に適した排水処理を施工することができる。
【符号の説明】
【００３５】
１、フレキシブル排水管
１０、ホース本体
１０１、筒状部
１０２、スパイラル突起部
１１、排水用受け口
１２、受けゴム
１２１、スパイラル凹部
１３、受け口本体
１５１、外管部
１５２、内管部
１８、バンド部材(縮径手段)
【図１】
2011144913.tif 000003
【図２】
2011144913.tif 000004
【図３】
2011144913.tif 000005
【図４】
2011144913.tif 000006
【図５】
2011144913.tif 000007
【図６】
2011144913.tif 000008
【図７】
2011144913.tif 000009
【図８】
2011144913.tif 000010